(57)【要約】      （修正有）【課題】オフィス内等で使用するモニターの周辺において、テーブルやデスク上面を占有することなく、新型コロナウイルス等の飛沫感染を防止できるモニター用パーティションを提供する。【解決手段】モニター１の上縁３に挟着される起立片５と、モニターの上部に広がる大きさのパーティション４を有し、起立片には、受溝９が形成され、受溝に噛み合う係合溝１１がパーティションに設けられている。また起立片には、モニターの上縁に嵌着する保持溝７が設けられ、保持溝の内側には、くさび片を差込むくさび溝が形成されている。くさび片をくさび溝に差込んで、モニターに起立片を圧着固定し、パーティションをモニター上に起立状態に係合する。【選択図】図１
0003227269.tif 000002
【実用新案登録請求の範囲】
【請求項１】
モニターの上縁に取り付けられる起立片と、該起立片に形成した受溝と、上記モニターの上部に広がるパーティションと、上記受溝に挿入できるようパーティションに形成した係合溝を有し、上記受溝に係合溝を係合させてパーティションをモニターの上部に設置するようにしたモニター用パーティション。
【請求項２】
上記起立片の取付は、モニターの上縁に挟み込んで挟着する取付構造である請求項１に記載のモニター用パーティション。
【請求項３】
上記起立片には、モニターの上縁に嵌着される保持溝が形成され、該保持溝の内側には、モニターに圧着するためのくさび片を挿入するくさび溝が開口している請求項１に記載のモニター用パーティション。
【請求項４】
上記くさび溝は、モニターの縦方向にそって複数設けられている請求項３に記載のモニター用パーティション。
【請求項５】
上記パーティションの係合溝の下部外方には、パーティションの横移動を阻止するストップ片が形成されている請求項１に記載のモニター用パーティション。
【請求項６】
上記パーティションは、透明性のあるプラスチック材料で自立性のある板状体に形成されている請求項１から５のいづれかに記載のモニター用パーティション。
【考案の詳細な説明】
【技術分野】
【０００１】
本考案は、オフィス等で使用するモニターに装着できるモニター用パーティションに係るものである。
【背景技術】
【０００２】
近年新型コロナウイルス等の感染症が流行しており、パソコン等オフィス内で使用するモニターの周囲も、飛沫感染の防止が要求されている。従来からパソコン等で使用するパーティションが提案されている(例えば特許文献１参照)。しかし、従来から提案されているパーティションは、テーブルやデスク等の上に設置するものであるから、接地場所を占め、テーブルやデスク上にパソコンケーブルやマウス等が置かれていたり、書類が広げられていると、簡単に設置することができない。また、オフィス等内で対面に着席している人等への飛沫感染を防止するためには、従来のものでは高さが不十分であり、確実に感染予防できるものであるとはいいがたい。
【先行技術文献】
【特許文献】
【０００３】
【特許文献１】実用新案登録第３０４４８８７号公報(図１、図８)
【考案の概要】
【考案が解決しようとする課題】
【０００４】
本考案は、パソコンのように、オフィス内等で使用するモニターの周囲に新型コロナウイルスの飛沫が飛散しないように、モニターに簡単に設置して対面方向等へのウイルスの飛沫感染を防止できるようにしたモニター用パーティションを提供することである。
【課題を解決するための手段】
【０００５】
本考案によれば、モニターの上縁に取り付けられる起立片と、該起立片に形成した受溝と、上記モニターの上部に広がるパーティションと、上記受溝に挿入できるようパーティションに形成した係合溝を有し、上記受溝に係合溝を係合させてパーティションをモニターの上部に設置するようにしたモニター用パーティションが提供され、上記課題が解決される。
【０００６】
また、本考案によれば、上記起立片の取付は、モニターの上縁に挟み込んで挟着する取付構造であり、好ましくは、起立片にはモニターの上縁に嵌着される保持溝が形成され、該保持溝の内側には、モニターに圧着するためのくさび片を挿入するくさび溝が開口しており、また、上記パーティションの係合溝の外方には、パーティションの横移動を阻止するストップ片が形成されている上記モニター用パーティションが提供される。
【考案の効果】
【０００７】
本考案は上記のように構成され、モニターの上縁に取り付けられる起立片と、上記モニターの上部に広がる大きさのパーティションを形成し、上記起立片をモニターの上縁に挟着して取り付ける形成にしたから、テーブルやデスクの周囲にパソコンケーブルやマウス、書類等が置かれていても、取付部材がテーブル面を占有しないので、邪魔にならずに、簡単に取り付けでき、また起立片に受溝を設け、パーティションに形成した係合溝をこの受溝に係合させてパーティションを起立片に取り付けてパーティションをモニターの上部に設置するようにしたから、パーティションと起立片は確実に組み合わされ、横移動するようなおそれがない状態でしっかりとモニター上部に設置することができ、モニター使用者とそれに対面する人を含めてオフィス内の近隣の人との間へのウイルスの飛沫汚染を防止することができる。このパーティションを、透明性のあるプラスチック部材で構成すると、圧迫感がなく使用でき、付箋紙、メモ用紙等を貼付たり、直接マーカー等で書き込んでメモボードとしても使用することができるので、便利に使用することができる。
【０００８】
また、上記起立片をモニターの上縁に挟着して取り付ける構成にすると、取り付けが容易であり、起立片にモニターの上縁に嵌着される保持溝を形成し、該保持溝の内側にくさび片を挿入するくさび溝を開口し、くさび片をくさび溝に圧入してモニターに圧着して固定することで、モニターの上縁部分の厚さに応じてくさびで厚さを調整して確実に起立片を固定することができる。上記パーティションの係合溝の外方に、パーティションの横移動を阻止するストップ片を形成しておくと、起立片の固定が緩んでも、パーティションが横移動しないようにできる。
【図面の簡単な説明】
【０００９】
【図１】モニターにパーティションを設置した状態の斜視図。
【図２】起立片とモニターの固定部分を示す横断面図。
【図３】起立片とモニターの固定部分を示す縦断面図。
【図４】起立片の分解斜視図。
【図５】パーティションの一部省略斜視図。
【考案を実施するための形態】
【００１０】
本考案のモニター用パーティションは、オフィス内等で使用されている各種の液晶モニターに好適に使用でき、図１に示す実施例では、パソコン用のモニター１に使用した実施例が示されている。図１において、モニター１は、脚部２で起立状態に保持されており、その上縁３にパーティション４が取り付けられる。
【００１１】
上記パーティション４は、モニター１の上縁３に取り付けられる起立片５により保持されている。該起立片５は、強度を増すため上記パーティションよりも厚さのあるプラスチック材料で平板状に作られ、その取付構造としては、モニター１の上縁３に挟着状態で固定するのが好ましい。挟着構造としては、起立片５に、ねじ等をねじ着する締付部を設けて、ねじにより締め付ける構成（図示略）でもよいが、図に示す実施例では、くさび片６により簡単に圧着する構造が採用されている。図４を参照し、起立片５は、モニター１の上縁３に嵌着される保持溝７を有し、この保持溝７の内側には、モニター１に圧着するためのくさび片６を挿入するくさび溝８が設けられている。くさび溝８の数は、１箇所でもよいが、モニター１の厚みの変化に対応できるようモニター１の縦方向に沿って複数箇所で圧着できるよう複数設けるのが好ましく、図に示す実施例では、２箇所設けてあるが、３箇所以上設けることもできる。また、くさび片６の上辺及び下辺またはいづれか一方の側縁が傾斜面となっており、深くくさび溝８に差込むことにより圧着力を調整できるようにしてある。なお、図に示す実施例では、起立片５とくさび片６は、同じプラスチック材料で構成しているが、くさび片６を差込んだあとで、抜け止め効果を大きくするために、くさび片を軟質性の材料で構成することもできる（図示略）。上記起立片５の上方には、上記パーティション４を挿入できる溝幅で上方に開口する受溝９が形成されている。
【００１２】
上記パーティションは、アクリル、ポリプロピレン、塩化ビニール、ＰＥＴその他の無色透明の、所望によっては有色透明の透明性のあるプラスチック材料で自立性のある板状体に作られ、モニター１の横幅一杯に広がるよう略矩形状に形成されている。そして、モニター画面１０の両サイド等画面の邪魔にならない位置に対応する位置には、上記起立片５の受溝９に係合するよう係合溝１１が下方に開口して設けられている。該係合溝は、図に示す実施例では、両側方向に２か所設けているが、各種モニターのサイズに適合できるよう２か所以上の複数個所に設けることもできる。また、係合溝１１の下部外方には、下方に突出するストップ片１２を形成してあり、このストップ片１２の内方端がモニター１の上縁３の外方端にあたると、パーティション４の横移動が阻止されるようにしてある。
【００１３】
上記の構成により、モニター１に取り付けるには、起立片５の保持溝７に、モニター１の画面に邪魔にならない上縁部分３を嵌着し、くさび片６をくさび溝８に差込んで起立片５をモニター１に圧着固定し、該起立片５の受溝９にパーティション４の係合溝１１を係合させれば、図１に示すように、受溝９と係合溝１１は充分かみ合った状態に係合するから、パーティション４をモニター１の上部にしっかりと起立状態で固定することができる。この状態で、パーティション４と起立片５は左右に動揺しないように噛み合うから、モニター１に何かがぶつかるようなことがあっても、落下するおそれはない。
【００１４】
また、モニター１にパーティション４を設置した状態で、パーティション４の下部側方に設けたストップ片１２は、モニター１の上縁３の外部に対向するので、パーティション４が横移動しそうになっても移動を阻止することができる。
【符号の説明】
【００１５】
１    モニター
３    上縁
４    パーティション
５    起立片
６    くさび片
７    保持溝
８    くさび溝
９    受溝
１１  係合溝
１２  ストップ片
【図１】
0003227269.tif 000003
【図２】
0003227269.tif 000004
【図３】
0003227269.tif 000005
【図４】
0003227269.tif 000006
【図５】
0003227269.tif 000007